(57)【特許請求の範囲】
【請求項１】
通信装置から第１ネットワークを介して送信された当該通信装置の識別情報を受信し、
前記識別情報と第２ネットワークへ通信装置を接続させるための第１設定情報とを対応付けたデータベースを参照して、前記第１ネットワークを介して受信した前記識別情報に対応する前記第１設定情報を特定し、
特定した前記第１設定情報を前記通信装置に前記第１ネットワークを介して受信させるように、当該第１設定情報を送信することを特徴とするサーバ。
【請求項２】
前記データベースは前記識別情報に対して所定の設定内容を示す第２設定情報を対応付け、
前記通信装置から前記第２ネットワークを介して送信された前記識別情報を受信し、
前記データベースを参照して、前記第２ネットワークを介して受信した前記識別情報に対応する前記第２設定情報を特定し、
特定した前記第２設定情報を前記通信装置に前記第２ネットワークを介して受信させるように、当該第２設定情報を送信する、請求項１に記載のサーバ。
【請求項３】
前記第２設定情報は、前記通信装置の動作を制御するための情報を含む、請求項２に記載のサーバ。
【請求項４】
前記第１ネットワークは電話回線であり、
前記第２ネットワークはＩＰネットワークであり、
前記識別情報は電話番号を含む、請求項１乃至請求項３のいずれかに記載のサーバ。
【請求項５】
前記第１ネットワークを介して送信された前記識別情報は、前記通信装置からＳＭＳによって送信され、
前記第１設定情報は、前記通信装置においてＳＭＳによって受信される、請求項４に記載のサーバ。
【請求項６】
特定された前記第２設定情報が所定の情報である場合には、前記第２ネットワークではなく前記第１ネットワークを介して当該第２設定情報を送信する、請求項２に記載のサーバ。
【請求項７】
通信装置とサーバとを備え、
前記通信装置が、前記サーバを宛先として第１ネットワークを介して当該通信装置の識別情報を送信し、
前記サーバが、前記通信装置から送信された識別情報を受信し、
前記サーバが、前記識別情報と第２ネットワークへ前記通信装置を接続させるための第１設定情報とを対応付けたデータベースを参照して、受信した前記識別情報に対応する前記第１設定情報を特定し、
前記サーバが、特定した前記第１設定情報を前記通信装置に送信し、
前記通信装置が、前記第１ネットワークを介して前記第１設定情報を受信し、
前記通信装置が、受信した前記第１設定情報を用いて当該通信装置を前記第２ネットワークへ接続可能に設定すること
を特徴とするシステム。
【請求項８】
前記通信装置が、
予め決められたサーバを宛先として前記第２ネットワークを介して前記識別情報を送信し、
前記第２ネットワークを介して送信した前記識別情報の応答として、所定の設定内容を示す第２設定情報を、前記第２ネットワークを介して受信すること、
をさらに含む、請求項７に記載のシステム。
【請求項９】
前記通信装置は、前記第２設定情報に基づいて前記通信装置の動作を制御するための設定を行う、請求項８に記載のシステム。
【請求項１０】
前記第１ネットワークは電話回線であり、
前記第２ネットワークはＩＰネットワークであり、
前記サーバはＩＰアドレスによって特定され、
前記識別情報は電話番号を含む、請求項７乃至請求項９のいずれかに記載のシステム。
【請求項１１】
前記通信装置が前記サーバを宛先として第１ネットワークを介して当該通信装置の識別情報を送信するときには、前記サーバを特定するＩＰアドレスを前記識別情報に関連付けてＳＭＳによって送信し、
前記通信装置が前記第１ネットワークを介して前記第１設定情報を受信するときには、ＳＭＳによって前記第１設定情報を受信する、請求項１０に記載のシステム。
【発明の詳細な説明】
【技術分野】
【０００１】
本発明は、通信装置の設定を行う技術に関する。
【背景技術】
【０００２】
ルータなどの通信装置においては、その機能を利用するための設定が必要なものがある。このような設定には、ユーザが容易に行うことができない程度に複雑なものも存在する。このような場合、システムインテグレータ（ＳＩｅｒと略される場合がある）が、通信装置が設置された場所に行き、様々な設定を行わなくてはならない。そこで、システムインテグレータが現地に行かなくても、ネットワークを介して装置に対する設定を行うことが行われている。このような技術は、例えば、特許文献１、２に開示されている。
【先行技術文献】
【特許文献】
【０００３】
【特許文献１】特開２００６−１３５６４５号公報
【特許文献２】特開２００９−１０４６４８号公報
【発明の概要】
【発明が解決しようとする課題】
【０００４】
ところで、携帯電話などの電話通信ネットワークに接続可能な通信装置においては、電話回線を用いた限られた範囲での通信が可能である。一方、インターネットなどのネットワークに接続した通信を実現するときには、ＡＰＮ（Ａｃｃｅｓｓ  Ｐｏｉｎｔ  Ｎａｍｅ）を設定する必要がある。ＡＰＮは、通信キャリアによって様々なパラメータを取り得る。そのため、ユーザに販売する時点においてＡＰＮを予め設定しておくことができず、特許文献１、２に開示された技術を用いようとしても、前提となる通信を確立することができない。したがって、ＡＰＮの設定を手動で行う必要があった。
【０００５】
本発明の目的の一つは、第１のネットワークに接続可能である一方、第２のネットワークに接続するための設定が必要な通信装置において、その設定を自動的に行うことにある。
【課題を解決するための手段】
【０００６】
本発明の一実施形態によると、予め決められたサーバを宛先として第１ネットワークを介して自装置の識別情報を送信する第１送信部と、前記第１送信部が送信した前記識別情報の応答として、第２ネットワークへ接続するための第１設定情報を、前記第１ネットワークを介して受信する第１受信部と、前記第１設定情報を用いて前記自装置を前記第２ネットワークへ接続可能に設定する第１設定部と、を含む通信装置が提供される。
【０００７】
予め決められたサーバを宛先として前記第２ネットワークを介して前記識別情報を送信する第２送信部と、前記第２送信部が送信した前記識別情報の応答として、所定の設定内容を示す第２設定情報を、前記第２ネットワークを介して受信する第２受信部と、をさらに含んでもよい。
【０００８】
前記第２設定情報に基づいて前記通信装置の動作を制御するための設定を行う第２設定部をさらに含んでもよい。
【０００９】
前記第１ネットワークは電話回線であり、前記第２ネットワークはＩＰネットワークであり、前記サーバはＩＰアドレスによって特定され、前記識別番号は電話番号を含んでもよい。
【００１０】
前記第１送信部は、前記サーバを特定するＩＰアドレスを前記識別情報に関連付けてＳＭＳによって送信し、前記第１受信部は、ＳＭＳによって前記第１設定情報を受信してもよい。
【００１１】
また、本発明の一実施形態によると、コンピュータを上記の通信装置として機能させるためのプログラムが提供される。
【００１２】
また、本発明の一実施形態によると、通信装置から第１ネットワークを介して送信された当該通信装置の識別情報を受信し、前記識別情報と第２ネットワークへ通信装置を接続させるための第１設定情報とを対応付けたデータベースを参照して、受信した前記識別情報に対応する前記第１設定情報を特定し、特定した前記第１設定情報を前記通信装置に前記第１ネットワークを介して受信させるように、当該第１設定情報を送信することを特徴とするサーバが提供される。
【００１３】
また、本発明の一実施形態によると、通信装置とサーバとを備え、前記通信装置が、前記サーバを宛先として第１ネットワークを介して当該通信装置の識別情報を送信し、前記サーバが、前記通信装置から送信された識別情報を受信し、前記サーバが、前記識別情報と第２ネットワークへ前記通信装置を接続させるための第１設定情報とを対応付けたデータベースを参照して、受信した前記識別情報に対応する前記第１設定情報を特定し、前記サーバが、特定した前記第１設定情報を前記通信装置に送信し、前記通信装置が、前記第１ネットワークを介して前記第１設定情報を受信し、前記通信装置が、受信した前記第１設定情報を用いて当該通信装置を前記第２ネットワークへ接続可能に設定することを特徴とするシステムが提供される。
【発明の効果】
【００１４】
本発明によれば、第１のネットワークに接続可能である一方、第２のネットワークに接続するための設定が必要な通信装置において、その設定を自動的に行うことができる。
【図面の簡単な説明】
【００１５】
【図１】本発明の一実施形態における通信システムの構成を示すブロック図である。
【図２】本発明の一実施形態における通信装置の構成を示すブロック図である。
【図３】本発明の一実施形態における設定テーブルの一例である。
【図４】本発明の一実施形態における設定処理を示す通信フローである。
【図５】本発明の一実施形態における通信装置の機能構成を示すブロック図である。
【図６】本発明の一実施形態におけるサーバの機能構成を示すブロック図である。
【発明を実施するための形態】
【００１６】
以下、本発明の一実施形態における通信システムについて、図面を参照しながら詳細に説明する。以下に示す実施形態は本発明の実施形態の一例であって、本発明はこれらの実施形態に限定して解釈されるものではない。
【００１７】
＜実施形態＞
［通信システムの構成］
図１は、本発明の一実施形態における通信システムの構成を示すブロック図である。一実施形態に係る通信システム１は、ネットワークＮＷ１（第１のネットワーク）に接続可能な通信装置１０に対して、ネットワークＮＷ２（第２のネットワーク）に接続するための接続設定を自動的に行うシステムである。ネットワークＮＷ１は、電話回線であり、例えば、携帯電話の通信回線である。電話回線は、比較的、セキュアな通信を実現することができる。ネットワークＮＷ２は、例えば、ＩＰネットワークである。この例では、ネットワークＮＷ２への接続設定は、ＡＰＮを指定することによって行われる。
【００１８】
通信システム１は、通信装置１０、ＳＭＳゲートウェイ４０、アクセスポイント５０およびサーバ８０を含む。ＳＭＳゲートウェイ４０およびアクセスポイント５０は、ネットワークＮＷ１、ＮＷ２に接続し、ネットワーク間の中継を行う。サーバ８０は、ネットワークＮＷ２に接続している。通信システム１は、ＳＭＳゲートウェイ４０およびサーバ８０を用いて、通信装置１０にＡＰＮの設定をする。この設定によって、通信装置１０は、ＡＰＮによって指定されたアクセスポイント５０を介して、ネットワークＮＷ２に接続することができる。通信システム１の各構成については、以下に詳述する。
【００１９】
通信装置１０は、端末２０が接続され、複数の端末２０によるＬＡＮ（Ｌｏｃａｌ  Ａｒｅａ  Ｎｅｔｗｏｒｋ）（第３のネットワーク）を構築するとともに、ネットワークＮＷ１およびアクセスポイント５０を介して端末２０をネットワークＮＷ２に接続させるためのルータ（中継装置）である。なお、通信装置１０は、例えば、スマートフォン、パーソナルコンピュータ等の通信可能な装置であってもよく、プログラムを実行することによって所定の機能を実現することができるコンピュータであれば、ルータでなくてもよい。
【００２０】
図２は、本発明の一実施形態における通信装置の構成を示すブロック図である。通信装置１０は、制御部１１、記憶部１２、操作部１３、表示部１５、接続部１７および通信部１９を備える。これらの各構成はバスを介して接続されている。
【００２１】
制御部１１は、ＣＰＵなどの演算処理回路を含む。制御部１１は、記憶部１２に記憶されたプログラムをＣＰＵ（コンピュータ）により実行して、後述する設定処理を行うための機能を実現する。ここの機能を実現する構成の一部または全部は、プログラムの実行によってソフトウエアによって実現される場合に限られず、ハードウエアによって実現されてもよい。なお、制御部１１によって実現される機能は、設定処理を行う機能（設定機能）以外にも、装置各部を制御する機能を含む。設定機能を実現するための構成については後述する。
【００２２】
記憶部１２は、不揮発性メモリ、ハードディスク等の記憶装置である。記憶部１２は、上述したプログラムなど、様々な機能を実現するためのアプリケーションプログラムを記憶する記憶領域、設定処理などによって設定される設定情報を記憶する記憶領域を含む。プログラムは、コンピュータにより実行可能であればよく、磁気記録媒体、光記録媒体、光磁気記録媒体、半導体メモリなどのコンピュータ読み取り可能な記録媒体に記憶した状態で提供されてもよい。この場合には、通信装置１０は、記録媒体を読み取る装置を備えていてもよい。また、プログラムは、ネットワーク経由でダウンロードされてもよい。
【００２３】
操作部１３は、操作ボタンなどによりユーザが入力した操作に応じた信号を制御部１１に出力する。操作ボタンは、例えば、電源スイッチ、カーソルキーなどを含み、ユーザの指示を受け付ける操作子であればよい。表示部１５は、液晶ディスプレイ、有機ＥＬディスプレイ等の表示装置であり、制御部１１による制御に基づいた画面（設定画面など）を表示する。なお、操作部１３および表示部１５については、通信装置１０が有していなくてもよい。この場合には、通信装置１０に接続される外部装置において操作部１３および表示部１５に相当する機能が代用されてもよい。
【００２４】
接続部１７は、上述した端末２０と接続するためのインターフェイスである。この例では、接続部１７と端末２０との接続は有線であっても無線であってもよい。この例では、接続部１７に接続された端末２０によって、ＬＡＮが構築される。
【００２５】
通信部１９は、制御部１１の制御に基づいてネットワークＮＷ１に接続し、外部の装置と情報の送受信を行う。この例では、制御部１１の制御に基づいて、ＳＭＳによるメッセージ送信を行うことができる。そのため、通信装置１０には、一般的な携帯電話と同様に、通信装置１０を識別する情報として電話番号が割り当てられている。電話番号の割り当ては、例えば、ＳＩＭ（Ｓｕｂｓｃｒｉｂｅｒ  Ｉｄｅｎｔｉｔｙ  Ｍｏｄｕｌｅ）カードが接続されることによって行われる。なお、上述したプログラムは、このＳＩＭカードの記憶領域に記憶されていてもよい。
【００２６】
また、通信部１９は、制御部１１によってＡＰＮが設定されると、アクセスポイント５０に接続することによって、ネットワークＮＷ２に接続することも可能となる。以上が、通信装置１０の説明である。
【００２７】
図１に戻って説明を続ける。ＳＭＳゲートウェイ４０は、Ｓｈｏｒｔ  Ｍｅｓｓａｇｅ  Ｓｅｒｖｉｃｅ（以下、単に「ＳＭＳ」という）によるテキストベースのメッセージを、ネットワークＮＷ１を介して受信すると、ネットワークＮＷ２を介して、所定の装置に転送する。メッセージが転送される所定の装置は、予め決められた装置であってもよいし、受信したメッセージの内容に応じた装置であってもよい。例えば、受信したメッセージにサーバ８０を特定する情報（ＩＰアドレス等）が記述されている場合には、そのメッセージがサーバ８０に転送される。すなわち、ＳＭＳゲートウェイ４０が受信するメッセージには、転送すべき宛先（例えば、サーバ８０）を特定する情報が含まれている。一方、ＳＭＳゲートウェイ４０は、外部装置（この例では、サーバ８０）からの要求に応じたメッセージを、要求によって指定された電話番号に対してＳＭＳで送信する。
【００２８】
アクセスポイント５０は、ネットワークＮＷ１を介して接続される通信装置１０をネットワークＮＷ２に接続するためのゲートウェイである。上述したように、通信装置１０は、ＡＰＮによって指定されたアクセスポイント５０を介して、ネットワークＮＷ２に接続可能となる。
【００２９】
サーバ８０は、ＳＭＳゲートウェイ４０からメッセージが転送されると、第１設定情報を応答する。第１設定情報は、ＡＰＮを設定するための情報を含む。また、サーバ８０は、通信装置１０からの要求に応じて第２設定情報を応答する。第２設定情報は、通信装置１０における各種設定を行うための情報を含む。各種設定とは、例えば、ルータの設定（ネットワークＮＷ２に接続されたサーバ等の装置と、接続部１７（ＬＡＮ）に接続された端末２０との通信を中継するときに用いる設定）またはネットワークＮＷ２を介した通信方法の設定などを含む通信装置１０の動作を制御するための設定であってもよい。さらに具体的に述べると、この設定は、ＶＰＮ（Ｖｅｒｔｕａｌ  Ｐｒｉｖａｔｅ  Ｎｅｔｗｏｒｋ）設定、ＩＰ電話接続設定、経路情報、ルーティングプロトコル、アドレス変換機能、ＱｏＳ（Ｑｕａｌｉｔｙ  ｏｆ  Ｓｅｒｖｉｃｅ）機能、ファイアウォール機能、フィルタ設定などが例示される。サーバ８０は、第１設定情報および第２設定情報の内容を、データベースに登録された設定テーブルを参照して決定する。
【００３０】
図３は、本発明の一実施形態における設定テーブルの一例である。設定テーブルは、識別情報に対して、第１設定情報および第２設定情報が関連付けられた情報である。識別情報は、この例では、電話番号である。第１設定情報は、ＡＰＮを設定するための情報（ＡＰＮ＿１、ＡＰＮ＿２、・・・）、すなわち、アクセスポイント５０の接続先を特定する情報を含む。第２設定情報は、通信装置１０における各種の設定を行うための情報（ＣＯＮＦＩＧ＿１、ＣＯＮＦＩＧ＿２、・・・）を含む。この例では、第２設定情報は、第１設定情報よりも情報量が大きい。
【００３１】
このような設定テーブルの内容については、サーバ８０にアクセス可能な管理者（システムインテグレータ等）によって、変更可能になっている。例えば、管理者は、通信装置１０の識別情報（電話番号など）および接続したいアクセスポイント５０を特定する情報（携帯電話における通信キャリアなど）を、通信装置１０のユーザから取得して登録することによって、予め設定テーブルを変更しておく。管理者でなく、通信装置１０のユーザが、通信装置１０とは別の端末を用いて、予め設定テーブルを変更してもよい。このとき、サーバ８０によって設定のためのＷｅｂページが提供されてもよい。なお、設定テーブルは、識別情報に対して第１設定情報が関連付けられた第１設定テーブル、および識別情報に対して第２設定情報が関連付けられた第２設定テーブルに分離していてもよい。この場合、第１設定テーブルと第２設定テーブルとは別々のサーバに記憶されていてもよい。
【００３２】
図３に示す設定テーブルの例では、電話番号「０７０−Ｘ４５６−ＹＹＹＹ」に対して、第１設定情報「ＡＰＮ＿２」、第２設定情報「ＣＯＮＦＩＧ＿２」が関連付けられている。したがって、サーバ８０は、ＳＭＳゲートウェイ４０から転送されるメッセージにおいて、通信装置１０の識別番号として「０７０−Ｘ４５６−ＹＹＹＹ」が特定されている場合には、「０７０−Ｘ４５６−ＹＹＹＹ」に対して第１設定情報「ＡＰＮ＿２」を記述したメッセージをＳＭＳで送信するように、ＳＭＳゲートウェイ４０に要求することになる。サーバ８０は、通信装置１０からネットワークＮＷ２を介して第２設定情報の要求（識別情報を含む）があった場合には、第２設定情報「ＣＯＮＦＩＧ＿２」を記述したデータを、ネットワークＮＷ２を介して通信装置１０に送信する。
【００３３】
［通信システムの動作］
通信装置１０において実行される設定処理を含む設定方法について説明する。ここでは、この設定方法を通信システム１全体の動作として説明する。
【００３４】
図４は、本発明の一実施形態における設定処理を示す通信フローである。以下に説明する設定処理は、この例では、通信装置１０の電源をオンにしたときに、ＡＰＮの設定が行われていないと制御部１１によって判定されたときに開始される。また、所定の操作ボタンを押しながら電源をオンにした場合、電源をオンにした後に所定の操作を行った場合などにおいて、設定処理が開始されてもよい。なお、図４においては、「ＳＭＳゲートウェイ４０」は、「ＳＭＳ−ＧＷ」として示されている。
【００３５】
通信装置１０は、ＡＰＮを設定するための要求（ＡＰＮ設定要求）を行う（ステップＳ１１１）。これによって、予め決められた電話番号（この例ではＳＭＳゲートウェイ４０）に対して、所定のメッセージがＳＭＳによって送信される（ステップＳ１１３）。具体的には、制御部１１が、ＡＰＮの設定要求を示す情報と、サーバ８０を特定する情報（例えばＩＰアドレス）とを含むメッセージを生成し、通信部１９が、ネットワークＮＷ１を介して、このメッセージをＳＭＳゲートウェイ４０に送信する。メッセージの送信時には、通信装置１０の識別情報（この例では通信装置１０に割り当てられている電話番号）についても、発信元を示す情報としてＳＭＳゲートウェイ４０に通知される。これによって、通信装置１０の識別情報とサーバ８０を特定する情報とが関連付けられている。なお、この発信元を示す情報はメッセージに含まれていてもよい。また、メッセージに通信装置１０の識別情報を記述する場合には、電話番号と併せて、または電話番号に代えて、通信装置１０のシリアルナンバなどの固有情報が用いられてもよい。
【００３６】
ＳＭＳゲートウェイ４０は、通信装置１０からメッセージを受信すると、メッセージの転送先を解析する（ステップＳ１１５）。具体的には、ＳＭＳゲートウェイ４０は、メッセージに記述されたＩＰアドレスを抽出し、そのＩＰアドレスを、メッセージの転送先として特定する。ＳＭＳゲートウェイ４０は、特定したＩＰアドレス（この例ではサーバ８０）宛に通信装置１０の識別情報を含む情報を、ネットワークＮＷ２を介して送信する（ステップＳ１１７）。このとき、ＳＭＳゲートウェイ４０は、メッセージをそのままサーバ８０に転送してもよいし、ＡＰＮの設定要求および通信装置１０の識別情報を含む情報に変換して（例えば、メッセージの転送先として記述されたＩＰアドレスを削除して）、サーバ８０に送信してもよい。
【００３７】
サーバ８０は、ＡＰＮの設定要求を含むメッセージを受信すると、通信装置１０の識別情報を抽出し、設定テーブルを参照して、通信装置１０の識別情報に関連付けられた第１設定情報（ＡＰＮ）を特定する（ステップＳ１１９）。サーバ８０は、例えば、上述した図３に示す設定テーブルの例では、通信装置１０の識別番号として「０７０−Ｘ４５６−ＹＹＹＹ」を抽出した場合には、「０７０−Ｘ４５６−ＹＹＹＹ」に対して第１設定情報「ＡＰＮ＿２」を特定する。
【００３８】
サーバ８０は、特定した第１設定情報（ＡＰＮ）を含むメッセージを、通信装置１０にＳＭＳで送信するようにネットワークＮＷ２を介してＳＭＳゲートウェイ４０に通知する（ステップＳ１２１）。このとき、ＳＭＳゲートウェイ４０に通知される情報は、特定された第１設定情報および通信装置１０の識別情報を含む。ＳＭＳゲートウェイ４０は、サーバ８０からの通知に基づいて、ネットワークＮＷ１を介して、第１設定情報（ＡＰＮ）を含むメッセージを通信装置１０に対してＳＭＳで送信する（ステップＳ１２５）。
【００３９】
通信装置１０において通信部１９がＳＭＳゲートウェイ４０からメッセージを受信すると、制御部１１はメッセージに記述された第１設定情報を参照してＡＰＮを設定する（ステップＳ１２７）。この結果、通信部１９がネットワークＮＷ２に接続可能となる。このように、通信装置１０は、ＡＰＮ設定要求に伴うメッセージをＳＭＳで送信すると、その応答として第１設定情報を受信することができる。
【００４０】
ＡＰＮ（第１設定情報）を設定する処理（第１設定処理）が終了することによって、設定処理が終了してもよいが、この例では、さらに通信装置１０における各種設定（ＣＯＮＦＩＧ設定）を行うための処理（第２設定処理）が続く。
【００４１】
通信装置１０における各種設定を行うための要求（ＣＯＮＦＩＧ設定要求）を行う（ステップＳ１５１）。これによって、サーバ８０に対して、この要求を示す情報がネットワークＮＷ２を介して送信される（ステップＳ１５３）。送信される情報には、通信装置１０の識別情報も含まれ、さらに通信装置１０のＩＰアドレスも含まれている。なお、上述したように、通信装置１０には、ＡＰＮが設定されている。そのため、通信装置１０は、ＡＰＮによって指定されたアクセスポイント５０にネットワークＮＷ１を介して接続し、アクセスポイント５０を介してネットワークＮＷ２に接続して、サーバ８０と情報の送受信が可能となっている。そのため、通信装置１０には、ネットワークＮＷ２において通信装置１０を特定するためのＩＰアドレスも割り当てられることになる。
【００４２】
サーバ８０は、ＣＯＮＦＩＧ設定要求を受信すると、通信装置１０の識別情報を抽出し、設定テーブルを参照して、通信装置１０の識別情報に関連付けられた第２設定情報（ＣＯＮＦＩＧ）を特定する（ステップＳ１５５）。サーバ８０は、例えば、上述した図３に示す設定テーブルの例では、通信装置１０の識別番号として「０７０−Ｘ４５６−ＹＹＹＹ」を抽出した場合には、「０７０−Ｘ４５６−ＹＹＹＹ」に対して第２設定情報「ＣＯＮＦＩＧ＿２」を特定する。
【００４３】
サーバ８０は、特定した第２設定情報（ＣＯＮＦＩＧ）を、ネットワークＮＷ２を介して通信装置１０に送信する（ステップＳ１５７）。通信装置１０において通信部１９が第２設定情報を受信すると、制御部１１は第２設定情報の内容を参照して通信装置１０の各種設定（ＣＯＮＦＩＧ設定）を行う（ステップＳ１５９）。なお、第２設定情報は、第１設定情報に比べて情報量が大きい。そのため、第１設定情報は、ＳＭＳでの情報の送信でも十分対応可能な情報量である。一方、第２設定情報は、その情報量を考慮すると、ＳＭＳでの情報送信よりもＩＰネットワークを用いた情報送信の方が、送信の容易性、コスト面において有用である。なお、ネットワークＮＷ１の方が、セキュアな通信を実現することができるため、第２設定情報であっても、秘匿性の高い内容の情報が存在する場合には、ＳＭＳゲートウェイ４０およびネットワークＮＷ１を利用したＳＭＳでの情報の送受信を用いてもよい。以上が、設定処理についての説明である。
【００４４】
このように、通信装置１０は、ネットワークＮＷ２に接続するために必要な第１設定情報を、ネットワークＮＷ１を介してＳＭＳなどの電話回線を利用した通信において受信することができる。そして、第１設定情報によりネットワークＮＷ２に接続可能な状態になった後には、通信装置１０はネットワークＮＷ２を利用して他の装置と情報の送受信を行えばよい。これにより、通信装置１０に接続された端末２０は、通信装置１０を中継装置（例えば、ルータ）として、ネットワークＮＷ２に接続することができる。なお、ＡＰＮの設定を変更したい場合には、所定の操作がユーザによって行われることにより、再度、上記の設定処理が実行されればよい。
【００４５】
続いて、上記の設定処理を行うために、通信装置１０およびサーバ８０において実現される機能の構成を説明する。この機能は、通信装置１０およびサーバ８０が、それぞれＣＰＵによって所定のプログラムを実行することにより実現される。
【００４６】
［通信装置の機能構成］
図５は、本発明の一実施形態における通信装置の機能構成を示すブロック図である。通信装置１０は、第１送信部１０１、第１受信部１０３、第１設定部１０５、第２送信部１１１、第２受信部１１３および第２設定部１１５の各機能を有する。
【００４７】
第１送信部１０１は、予め決められたサーバ（この例ではサーバ８０）を宛先として、ネットワークＮＷ１を介して通信装置１０（自装置）の識別情報を送信する。この例では、第１受信部１０３は、この情報を含むＳＭＳメッセージ（ＡＰＮ設定要求）を、ネットワークＮＷ１を介してＳＭＳゲートウェイ４０に送信する。これによって、ＳＭＳゲートウェイ４０は、宛先として指定されたサーバ８０にメッセージを転送する。
【００４８】
第１受信部１０３は、第１送信部１０１が送信したＳＭＳメッセージの応答として、第１設定情報を含むＳＭＳメッセージを、ネットワークＮＷ１を介してＳＭＳゲートウェイ４０から受信する。このＳＭＳメッセージは、サーバ８０によって生成される。
【００４９】
第１設定部１０５は、第１受信部１０３によって受信されたＳＭＳメッセージに含まれる第１設定情報を参照し、この第１設定情報を用いて通信装置１０をネットワークＮＷ２に接続可能に設定する。この例では第２送信部１１１にアクセスポイント５０の情報を設定する。
【００５０】
第２送信部１１１は、ネットワークＮＷ２に接続可能になった後に、予め決められたサーバ（この例ではサーバ８０）を宛先として、ネットワークＮＷ２を介して通信装置１０（自装置）の識別情報を含むメッセージ（ＣＯＮＦＩＧ設定要求）を送信する。このとき、ネットワークＮＷ２へはアクセスポイント５０を介して接続する。
【００５１】
第２受信部１１３は、第２送信部１１１が送信したメッセージの応答として、第２設定情報を含むメッセージを、ネットワークＮＷ２を介して受信する。このメッセージは、サーバ８０によって生成されてネットワークＮＷ２に送信され、アクセスポイント５０を介して第２受信部１１３によって受信される。
【００５２】
第２設定部１１５は、第２受信部１１３によって受信されたメッセージに含まれる第２設定情報を参照し、通信装置１０の各種設定（ＣＯＮＦＩＧ設定）を行う。
【００５３】
なお、通信装置１０は、第１設定情報に基づく設定（この例ではＡＰＮ設定）を行うための構成、具体的には、第１送信部１０１、第１受信部１０３および第１設定部１０５の各機能を少なくとも備えていればよい。すなわち、通信装置１０は、上述した第２送信部１１１、第２受信部１１３および第２設定部１１５の各機能を有していない構成であってもよい。
【００５４】
［サーバの機能構成］
図６は、本発明の一実施形態におけるサーバの機能構成を示すブロック図である。サーバ８０は、第３受信部８０１、第１特定部８０３、第３送信部８０５、第４受信部８１１第２特定部８１３および第４送信部８１５の各機能を有する。
【００５５】
第３受信部８０１は、通信装置１０からネットワークＮＷ１を介して送信され、ＳＭＳゲートウェイ４０によって転送されたメッセージ（ＡＰＮ設定要求）を受信する。第１特定部８０３は、設定テーブルが登録されているデータベース８２０を参照して、受信したメッセージに含まれる識別情報に関連付けられた第１設定情報を特定する。第３送信部８０５は、特定された第１設定情報を通信装置１０にネットワークＮＷ１を介して受信させるように、ＳＭＳゲートウェイ４０に対して第１設定情報を送信する。この例では、第３送信部８０５は、第１設定情報および通信装置１０の識別情報を、ＳＭＳゲートウェイ４０に通知する。これによって、ＳＭＳゲートウェイ４０は、第１設定情報を含むＳＭＳメッセージを生成して通信装置１０に送信する。
【００５６】
第４受信部８１１は、通信装置１０からネットワークＮＷ２を介して送信されたメッセージ（ＣＯＮＦＩＧ設定要求）を受信する。第２特定部８１３は、データベース８２０を参照して、受信したメッセージに含まれる識別情報に関連付けられた第２設定情報を特定する。第４送信部８１５は、特定された第２設定情報をネットワークＮＷ２を介して通信装置１０に送信する。
【００５７】
なお、サーバ８０は、第１設定情報に基づく設定（この例ではＡＰＮ設定）を通信装置１０に実施させるための構成、具体的には、第３受信部８０１、第１特定部８０３および第３送信部８０５の各機能を少なくとも備えていればよい。すなわち、サーバ８０は、上述した第４受信部８１１、第２特定部８１３および第４送信部８１５の各機能を有していない構成であってもよい。データベース８２０は、サーバ８０が有していてもよいし、サーバ８０がアクセス可能な他の装置が有していてもよい。
【００５８】
＜変形例＞
以上、本発明の一実施形態について説明したが、本発明は以下のように、様々な態様で実施可能である。
【００５９】
（１）上述した実施形態では、ネットワークＮＷ１（第１ネットワーク）は、携帯電話の回線であったが、固定電話等で用いられるアナログ回線またはデジタル回線（ＩＳＤＮ：Ｉｎｔｅｇｒａｔｅｄ  Ｓｅｒｖｉｃｅ  Ｄｉｇｉｔａｌ  Ｎｅｔｗｏｒｋ）の電話回線であってもよい。この場合、第１設定情報を要求するときのメッセージをＳＭＳではない方法で送受信してもよい。例えば、通信部１９は、アナログ回線に接続する場合にはアナログ信号で、デジタル回線に接続する場合にはデジタル信号で、上記メッセージに相当する情報（通信装置１０の識別情報、サーバ８０のＩＰアドレス）を送信すればよい。
【００６０】
（２）上述した実施形態では、通信装置１０は、ルータなどの中継装置であったが、携帯電話であってもよい。例えば、携帯電話にＳＩＭカードを最初に挿入して、アクティベートする場合に、上記のような設定処理が実行されることにより、自動的にＡＰＮの設定などが可能となる。また、第２設定情報により携帯電話の各種設定が可能となるが、例えば、ＭＤＭ（Ｍｏｂｉｌｅ  Ｄｅｖｉｃｅ  Ｍａｎａｇｅｍｅｎｔ）などの通信装置１０の動作を制御または管理する設定（ソフトウエアのインストールによる設定を含む）も可能となる。
【００６１】
（３）上述した実施形態では、ＳＭＳゲートウェイ４０とサーバ８０とは、ネットワークＮＷ２を介して接続された別々の装置であったが、一体の装置であってもよい。例えば、ＳＭＳゲートウェイの機能を有するサーバが、ネットワークＮＷ１およびネットワークＮＷ２に接続していてもよい。この場合には、サーバは、電話番号およびＩＰアドレスの双方によって特定することができる。
【符号の説明】
【００６２】
１…通信システム、１０…通信装置、１１…制御部、１２…記憶部、１３…操作部、１５…表示部、１７…接続部、１９…通信部、２０…端末、４０…ＳＭＳゲートウェイ、５０…アクセスポイント、８０…サーバ、１０１…第１送信部、１０３…第１受信部、１０５…第１設定部、１１１…第２送信部、１１３…第２受信部、１１５…第２設定部、８０１…第３受信部、８０３…第１特定部、８０５…第３送信部、８１１…第４受信部、８１３…第２特定部、８１５…第４送信部、８２０…データベース
【図１】
0006728745.tif 000002
【図２】
0006728745.tif 000003
【図３】
0006728745.tif 000004
【図４】
0006728745.tif 000005
【図５】
0006728745.tif 000006
【図６】
0006728745.tif 000007